(57)【要約】【課題】  限られた大きさの表示器であっても容易にパラメータ値の制御を行える操作性の良いユーザインターフェースを持つディジタルミキサを提供することを目的とし、特に、比較的操作される頻度が高いパラメータと比較的操作される頻度が低いパラメータとを考慮して高い操作性を実現するようにすることを目的とする。【解決手段】  ｋ個のｃｈの複数パラメータを表示するｋｃｈストリップ画面で、操作頻度の比較的低い第１種パラメータと操作頻度の比較的高い第２種パラメータとを区別して表示する。第１種パラメータが選択操作された場合は、そのパラメータのパラメータウィンドウを開く。第２種パラメータが選択操作された場合は、最初の操作でその第２種パラメータがｋ個の操作子に割当てられ、次の操作でそのパラメータのパラメータウィンドウを開く。【選択図】  図８
2006311514.tif 000002
【特許請求の範囲】
【請求項１】
複数系列の入力信号を入力し、各種の信号処理を施して出力するディジタルミキサであって、
信号処理を行う複数のチャンネル（ｃｈ）と、
操作パネル上に設けた表示器と、
操作パネル上の前記表示器の手前に配置されたｋ個の操作子と、
前記表示器に、選択されたｋ個のｃｈの複数パラメータをｋ列に並べて表示するｋｃｈストリップ画面を表示する手段と、
前記ｋｃｈストリップ画面でパラメータの選択操作が行われたとき、その画面上に、選択された代表パラメータのｋｃｈパラメータウィンドウを開き、ｋｃｈ分の該代表パラメータを前記ｋ個の操作子にそれぞれ割り当てる手段であって、ユーザが第１種パラメータを選択操作したときには該第１種パラメータを代表パラメータとするｋｃｈパラメータウィンドウを開き、ユーザが未選択状態の第２種パラメータを選択操作したときには該第２種パラメータを代表パラメータとするｋｃｈパラメータウィンドウを開くものと、
前記ｋ個の操作子の各々の操作に応じて、それらの操作子に割り当てられているパラメータの値を制御する手段と、
を備え、
前記ｋｃｈストリップ画面上にパラメータウィンドウが開いていない場合、ｋｃｈストリップ画面上の選択状態にある第２種パラメータが、前記ｋ個の操作子にそれぞれ割り当てられる
ことを特徴とするディジタルミキサ。
【請求項２】
請求項１に記載のディジタルミキサにおいて、
前記ｋｃｈストリップ画面は、前記第１種パラメータと前記第２種パラメータとを区別して表示してなるものであることを特徴とするディジタルミキサ。
【請求項３】
請求項１または２いずれかに記載のディジタルミキサにおいて、
前記表示器は接触位置を検出できる接触位置検出型表示器であり、前記パラメータ選択操作は、前記表示器に表示された各代表パラメータに対応する領域に対する接触操作であることを特徴とするディジタルミキサ。
【請求項４】
請求項１または２いずれかに記載のディジタルミキサにおいて、
前記パラメータウィンドウとして、（１）選択されたｃｈの当該代表パラメータに対応するグループのｋ個以下のパラメータが表示され、それらのパラメータが前記ｋｃｈストリップ操作子のｋ個の操作子に割り当てられる１ｃｈウィンドウ、（２）選択されたｋｃｈの代表パラメータが表示され、そのｋｃｈ分のパラメータが前記ｋｃｈストリップ操作子のｋ個の操作子に割り当てられるｋｃｈウィンドウ、及び、（３）全ｃｈの代表パラメータが表示される全ｃｈウィンドウ、の３種類があり、
前記各種類のパラメータウィンドウに設けられている切替ボタンが操作されたとき、当該パラメータウィンドウを閉じて、前記切替ボタンにより指定された他の種類のパラメータウィンドウを開くことを特徴とするディジタルミキサ。
【発明の詳細な説明】
【技術分野】
【０００１】
この発明は、複数系列の入力信号を入力し、各種の信号処理を施して出力するディジタルミキサに関する。
【背景技術】
【０００２】
従来より、マイクロフォンなどの各種の音響信号源からの音響信号を入力し、ミキシング処理、効果付与処理、及び音量レベル制御処理などを行い、処理後の音響信号をアンプやスピーカなどの各種の出力機器に出力するミキサ装置が知られている。近年では、内部的な信号処理をディジタル処理で行うディジタルミキサが開発されている。ディジタルミキサには、操作者が操作するための多くの操作子や表示器が配置された音響調整卓（操作パネル）が備えられている（例えば、非特許文献１参照）。
【０００３】
ディジタルミキサの表示器には、（１）各パラメータ毎に用意された、複数ｃｈのパラメータを表示設定する画面（パラメータのページ）、または、（２）各ｃｈ毎に用意された、そのｃｈの複数のパラメータを表示設定する画面（選択ｃｈのページ）を、選択的に表示させることができる。また、表示器を、指で触った位置を検出する位置センサを備えたタッチパネルで構成するディジタルミキサもある。タッチパネル付きのディジタルミキサでは、画面上に表示されたパラメータ操作子を指で触り、触ったまま指を動かす操作（ドラッグ操作）をすることにより、その操作子に対応するパラメータの値を変更することができる。
【非特許文献１】ヤマハ、Digital Production Console DM2000 取扱説明書
【発明の開示】
【発明が解決しようとする課題】
【０００４】
ところで、出願人は、以下のミキサを提案している（未公開の特願2005-76684）。このミキサでは、複数のｃｈから１つのｃｈを選択するｃｈ選択操作子と、複数のｃｈをｎ個（ｎは２以上の整数）ずつグループ化して、それらのグループから１つを選択するグループ選択操作子とが設けられている。操作パネル上には、表示器の手前に配置され、１つのｃｈについてのパラメータ設定を行う操作子を備えた割当ｃｈストリップを、左右方向にｎ個、並べた割当ｃｈストリップ部と、表示器の左手に配置され、選択された１つのｃｈについてのパラメータ設定を行うための複数の割当ノブ操作子を備えたパラメータ操作部とが設けられている。そして、グループ選択操作子の操作に応じて対応するグループを選択し、選択されたグループのｎ個のｃｈを割当ｃｈストリップ部のｎ個の割当ｃｈストリップに割当てるとともに、当該ｎ個のｃｈの複数パラメータの設定状況を表示するグループ画面を、各割当ｃｈストリップの上方に当る位置にその割当ｃｈストリップに割当てられているｃｈの複数パラメータの表示領域が配置されるように、表示器に表示する。さらに、ｃｈ選択操作子の操作に応じて、対応するｃｈを選択し、選択されたｃｈの複数パラメータをパラメータ操作部の複数の割当ノブ操作子に割り当てるとともに、パラメータ操作部の複数の割当ノブ操作子の配置に対応する配置でノブ操作子の表示要素を表示しそれらのノブ操作子の表示要素により当該ｃｈの複数パラメータの設定状況を表示するパラメータ画面を表示器に表示する。
【０００５】
このようなミキサに適した、パラメータ値の制御を行うための、操作性の良いユーザインターフェースが望まれている。
【０００６】
ところで、このようなミキサでは、グループ画面の各ｃｈのパラメータ設定状況を表示する領域に、それらの各ｃｈの全パラメータを表示しようとすると、大きな表示器が必要になる。一部のパラメータを切替表示して表示器のサイズを縮小することも考えられるが、その場合、どのパラメータが表示されているのかを確認しながらパラメータ値を見なければならず、操作性が落ちる。従って、複数ｃｈの表示を行うグループ画面では、パラメータを切替表示することは好ましくなく、各ｃｈの表示内容は固定であることが望ましい。
【０００７】
また、タッチディスプレイ付きディジタルミキサのドラッグ操作によるパラメータ値の変更では、所望の値に設定しにくいし、指をこすり付けることになるのでディスプレイが汚れやすいという問題があった。パラメータ値の変更に関しては、タッチスクリーンで行なうのではなく、別途のパラメータ操作子で行なうことが望ましい。
【０００８】
さらに、複数ｃｈのパラメータ設定状況を表示するグループ画面に表示されているパラメータの中には、比較的操作される頻度が高いパラメータと、比較的操作される頻度が低いパラメータとがある。操作頻度の低いパラメータを隠蔽して表示器のサイズを縮小することが望まれる。
【０００９】
この発明は、限られた大きさの表示器であっても容易にパラメータ値の制御を行える操作性の良いユーザインターフェースを持つディジタルミキサを提供することを目的とし、特に、比較的操作される頻度が高いパラメータと比較的操作される頻度が低いパラメータとを考慮して高い操作性を実現するようにすることを目的とする。
【課題を解決するための手段】
【００１０】
この目的を達成するため、請求項１に係る発明は、複数系列の入力信号を入力し、各種の信号処理を施して出力するディジタルミキサであって、信号処理を行う複数のチャンネル（ｃｈ）と、操作パネル上に設けた表示器と、操作パネル上の前記表示器の手前に配置されたｋ個の操作子と、前記表示器に、選択されたｋ個のｃｈの複数パラメータをｋ列に並べて表示するｋｃｈストリップ画面を表示する手段と、前記ｋｃｈストリップ画面でパラメータの選択操作が行われたとき、その画面上に、選択された代表パラメータのｋｃｈパラメータウィンドウを開き、ｋｃｈ分の該代表パラメータを前記ｋ個の操作子にそれぞれ割り当てる手段であって、ユーザが第１種パラメータを選択操作したときには該第１種パラメータを代表パラメータとするｋｃｈパラメータウィンドウを開き、ユーザが未選択状態の第２種パラメータを選択操作したときには該第２種パラメータを代表パラメータとするｋｃｈパラメータウィンドウを開くものと、前記ｋ個の操作子の各々の操作に応じて、それらの操作子に割り当てられているパラメータの値を制御する手段と、を備え、前記ｋｃｈストリップ画面上にパラメータウィンドウが開いていない場合、ｋｃｈストリップ画面上の選択状態にある第２種パラメータが、前記ｋ個の操作子にそれぞれ割り当てられることを特徴とする。
【００１１】
請求項２に係る発明は、請求項１に記載のディジタルミキサにおいて、前記ｋｃｈストリップ画面は、前記第１種パラメータと前記第２種パラメータとを区別して表示してなるものであることを特徴とする。
【００１２】
請求項３に係る発明は、請求項１または２いずれかに記載のディジタルミキサにおいて、前記表示器は接触位置を検出できる接触位置検出型表示器であり、前記パラメータ選択操作は、前記表示器に表示された各代表パラメータに対応する領域に対する接触操作であることを特徴とする。
【００１３】
請求項４に係る発明は、請求項１または２いずれかに記載のディジタルミキサにおいて、前記パラメータウィンドウとして、（１）選択されたｃｈの当該代表パラメータに対応するグループのｋ個以下のパラメータが表示され、それらのパラメータが前記ｋｃｈストリップ操作子のｋ個の操作子に割り当てられる１ｃｈウィンドウ、（２）選択されたｋｃｈの代表パラメータが表示され、そのｋｃｈ分のパラメータが前記ｋｃｈストリップ操作子のｋ個の操作子に割り当てられるｋｃｈウィンドウ、及び、（３）全ｃｈの代表パラメータが表示される全ｃｈウィンドウ、の３種類があり、前記各種類のパラメータウィンドウに設けられている切替ボタンが操作されたとき、当該パラメータウィンドウを閉じて、前記切替ボタンにより指定された他の種類のパラメータウィンドウを開くことを特徴とする。
【発明の効果】
【００１４】
この発明によれば、選択操作されたのが第１種のパラメータであれば、１回の操作で、そのパラメータのパラメータウィンドウが開き、そのパラメータに関する各種制御ができるようになる。パラメータ操作子で制御するパラメータを他のパラメータに切り替えるには、一旦、パラメータウィンドウを閉じなければならないが、第１種パラメータが選択される頻度は低いので、その操作を行なう頻度も低い。他方、選択操作されたのが第２種のパラメータであれば、１回の操作で、パラメータ操作子により操作されるパラメータ（選択状態にあるパラメータ）が切り替わる。そして、必要に応じてもう一度選択操作をして、パラメータウィンドウを開くことができる。すなわち、操作頻度の高い第２種パラメータについては、パラメータ操作子で制御するパラメータを、１回の操作で順番に切り替えることができる。
【００１５】
また、ある代表パラメータのｋｃｈウィンドウを開いた場合、その代表パラメータの１ｃｈウィンドウ、ｋｃｈウィンドウ、全ｃｈウィンドウを自由に切り替えることができる。すなわち、その代表パラメータの１ｃｈに注目した詳細な設定、ｋｃｈストリップ画面からの継続性のある設定、全ｃｈを見渡した設定を、それらの画面を行き来しながら効率よく行うことができる。
【００１６】
さらに、タッチディスプレイはパラメータの選択操作に用いられ、パラメータ値の変更操作には用いられない。パラメータ値の変更は、別途設けられたパラメータ操作子により行われる。すなわち、タッチディスプレイではドラッグ操作を行なう必要がないので、ディスプレイの表面が汚れにくい。
【発明を実施するための最良の形態】
【００１７】
以下、図面を用いてこの発明の実施の形態を説明する。
【００１８】
図１は、この発明の音響調整卓を適用した実施の形態であるディジタルミキサのハードウエア構成を示すブロック図である。このディジタルミキサは、中央処理装置（ＣＰＵ）１０１、フラッシュメモリ１０２、ランダムアクセスメモリ（ＲＡＭ）１０３、表示器１０４、電動フェーダ１０５、操作子１０６、波形入出力インターフェース（Ｉ／Ｏ）１０７、信号処理部（ＤＳＰ）１０８、操作者用モニタ１０９、その他Ｉ／Ｏ１１０、及びバスライン１１１を備える。
【００１９】
ＣＰＵ１０１は、このミキサ全体の動作を制御する処理装置である。フラッシュメモリ１０２は、ＣＰＵ１０１が実行する各種のプログラムや各種のデータなどを格納した不揮発性メモリである。ＲＡＭ１０３は、ＣＰＵ１０１が実行するプログラムのロード領域やワーク領域に使用する揮発性メモリである。表示器１０４は、このミキサの操作パネル上に設けられた各種の情報を表示するためのディスプレイである。表示器１０４は、タッチパネルになっており、指などで触れた位置を入力できる。電動フェーダ１０５は、操作パネル上に設けられたレベル設定用の操作子である。ＣＰＵ１０１の指示に応じて、電動フェーダ１０５のレベル設定値を設定し、つまみ位置をその設定値に対応する位置まで電動駆動することができる。操作子１０６は、操作パネル上に設けられたユーザが操作するための各種の操作子（電動フェーダ以外のもの）である。波形Ｉ／Ｏ１０７は、外部機器との間で波形信号をやり取りするためのインターフェースである。ＤＳＰ１０８は、ＣＰＵ１０１の指示に基づいて各種のマイクロプログラムを実行することにより、波形Ｉ／Ｏ１０７経由で入力した波形信号のミキシング処理、効果付与処理、及び音量レベル制御処理などを行い、処理後の波形信号を波形Ｉ／Ｏ１０７経由で出力する。操作者用モニタ１０９は、このミキサの操作者（オペレータ）が使用するモニタ用のヘッドホンへの出力を示す。その他Ｉ／Ｏ１１０は、その他の機器を接続するためのインターフェースである。
【００２０】
図２は、図１のディジタル・ミキサの機能構成を示すブロック図である。２０１はマイクなどで入力したアナログ音響信号をディジタル信号に変換した入力を示す。２０２はディジタル音響信号の入力を示す。これらの入力は、それぞれ複数本（その本数は装置構成に応じた上限がある）設けることができる。入力パッチ２０３は、上述した入力のラインから、入力チャンネル（ｃｈ）２０４やステレオ入力ｃｈ２０５への任意結線を行う。その結線の設定は、ユーザが所定の画面を見ながら任意に行うことができる。入力ｃｈ２０４は、シングルで４８ｃｈが設けられている。ステレオ入力ｃｈ２０５は４組（２×４ｃｈ）が設けられ、各組の左信号（Ｌ）と右信号（Ｒ）はペアで制御されようになっている。
【００２１】
各入力ｃｈ２０４及びステレオ入力ｃｈ２０５の信号は、１６本のＭＩＸバス２０６、ステレオバス（Ｓｔｅｒｅｏ＿Ｌ／Ｒ，Ｃ）２０７、あるいはＣＵＥバス２０８の任意のバスへ選択的に出力することができ、その送出レベルをそれぞれ独立に設定することができる。
【００２２】
ＭＩＸバス２０６の１６本の各バスは、入力ｃｈ２０４やステレオ入力ｃｈ２０５から入力する信号をミキシングする。ミキシングされた信号は、そのＭＩＸバスに対応するＭＩＸ出力チャンネル２１０（１〜１６ｃｈ）に出力される。ＭＩＸバス２０６とＭＩＸ出力ｃｈ２１０とは１対１の対応で各ｃｈが対応づけられている。ＭＩＸ出力ｃｈ２１０の出力は、出力パッチ２１３に入力する。ステレオバス２０７は、入力ｃｈ２０４やステレオ入力ｃｈ２０５から入力する信号をミキシングする。ミキシングされたステレオ信号は、ステレオ出力ｃｈ２０９へ出力される。なお、ステレオバス２０７とステレオ出力ｃｈ２０９は、Ｌ（左）とＲ（右）の信号ライン（Ｌバス、Ｒバス、Ｌ出力ｃｈ、Ｒ出力ｃｈ）のほか、Ｃ（中央）の信号ライン（Ｃバス、Ｃ出力ｃｈ）も備えている。例えば、ＬＲにステレオで音楽などを流して左右のスピーカから放音し、Ｃには講演者の音声を流して中央部のスピーカから放音する、というような態様で使用する。ステレオ出力ｃｈ２０９では、ＬＲはペアで制御され、ＬＲとＣとは独立に制御される。ステレオ出力ｃｈ２０９の出力は、出力パッチ２１３に入力する。ＣＵＥバス２０８は、各ｃｈにどのような信号が入力しているかを確認するためのバスである。後述する各ｃｈのＣＵＥスイッチをオンすると、そのｃｈの信号のみがこのバス２０８を経由してモニタ用ミキサ２１７に入力する。
【００２３】
ステレオ出力ｃｈ２０９の出力信号は、出力パッチ２１３及びマトリックスバス２１１へ出力される。ＭＩＸ出力ｃｈ２１０の出力信号は、出力パッチ２１３、マトリックスバス２１１、及びＣＵＥバス２０８へ出力される。マトリックスバス２１１は、ステレオ出力ｃｈ２０９及びＭＩＸ出力ｃｈ２１０の任意のｃｈ出力を選択的に入力して混合する１〜８ｃｈのバスである。マトリックスバス２１１で混合された信号は、マトリックス出力ｃｈ２１２に出力される。マトリックスバス２１１とマトリックス出力ｃｈ２１２とは、１対１の対応で各ｃｈが対応づけられている。マトリックス出力ｃｈ２１２の出力は、出力パッチ２１３及びＣＵＥバス２０８に入力する。出力パッチ２１３は、上述した３種類の出力ｃｈ２０９，２１０，２１２から出力ラインへの任意の結線を行う。その結線の設定は、ユーザが所定の画面を見ながら任意に行うことができる。Ａ出力２１４はアナログの出力ライン、Ｄ出力２１５はディジタルの出力ラインを示す。モニタ用セレクタ２１６、モニタ用ミキサ２１７、及びモニタ用Ａ出力２１８は、モニタ用に設けられているものである。
【００２４】
図３は、図２の入力ｃｈ２０４のうちの１つのｃｈの信号処理の概略構成を示す。入力ｃｈは、アッテネータ（ＡＴＴ）３０１、ハイパスフィルタ（ＨＰＦ）３０２、パラメトリックイコライザ（ＰＥＱ）３０３、第１ダイナミックス（ＤＹＮＡＭＩＣＳ１）３０４、第２ダイナミックス（ＤＹＮＡＭＩＣＳ２）３０５、オンスイッチ（ＯＮ）３０６、フェーダ３０７、及びパンや混合レベル調整部３０８を備えている。
【００２５】
アッテネータ（ＡＴＴ）３０１は、入力ｃｈの先頭部分でレベル制御を行う部分である。ＨＰＦ３０２及びＰＥＱ３０３は、周波数特性を調整する機能を果たす部分である。ダイナミックス３０４，３０５は、それぞれ信号の振幅を変形する部分であり、例えばノイズゲート（信号レベルが下がったときノイズが残らないように閉じるゲート）やコンプレッサ（自動ゲイン調整を行う）などである。ＯＮ３０６は、当該ｃｈの信号出力のオン／オフを行うスイッチである。フェーダ３０７は、レベル調整のためのボリュームである。調整部３０８は、ステレオバスやその他のバスへ信号をステレオで出力する場合の左右定位（パン）の制御と、各バスへの信号出力のオンオフ制御と、各バスへの出力信号の個別のレベル調整（送出レベル）とを行う部分である。ステレオ入力ｃｈ２０５の構成も図３と同様のものである。ただし、ステレオ入力ｃｈ１１３ではステレオの左信号（Ｌ）と右信号（Ｒ）がペアで制御されるようになっている。また、ステレオ出力ｃｈ２０９、ＭＩＸ出力ｃｈ２１０、及びマトリックス出力ｃｈ２１２の各ｃｈの構成も（信号処理の要素機能は異なるが）同様のものである。
【００２６】
図４は、この実施形態のミキサの操作パネル上の操作子の配列を示す。操作者から向かって、左側に左セクション４１０が、中央にマスタセクション４２０が、右側に右セクション４３０が、それぞれ設けられている。左セクション４１０には、入力ｃｈストリップ部４１１〜４１４が設けられ、右セクション４３０には入力ｃｈストリップ部４３１，４３２が設けられている。入力ｃｈストリップ部４１１〜４１４，４３１，４３２は、順に図２の入力ｃｈ２０４のうち、第１〜８ｃｈ、第９〜１６ｃｈ、第１７〜２４ｃｈ、第２５〜３２ｃｈ、第３３〜４０ｃｈ、第４１〜４８ｃｈのそれぞれ８ｃｈ分の操作子を備える。ＳＴ入力ｃｈストリップ部４１５は、図２のステレオ入力ｃｈ２０５に対応する操作子である。右セクション４３０のＳＴ出力ｃｈストリップ部４３３は、図２のステレオ出力ｃｈ２０９に対応する操作子である。マスタセクション４２０は、レベルメータ４２１、パラメータ操作部４２２、表示器４２３、割当ｃｈストリップ部４２４、シーン操作部４２５、及びＧ（グループ）選択操作部４２６を備える。
【００２７】
図５（ａ）は、図４のパラメータ操作部４２２の詳細な構成を示す。パラメータ操作部４２２は、各々複数の入力ｃｈ２０４、ステレオ入力ｃｈ２０５、ステレオ出力ｃｈ２０９、ＭＩＸ出力ｃｈ２１０、マトリクス出力ｃｈ２１２の内のユーザにより選択されているｃｈの複数のパラメータを並列的に制御するための複数の操作子を備える。ここで、現在選択されているｃｈに関する情報は、表示器４２３に表示された画面中の選択ｃｈ表示領域（図６、図７の６４０）に常時表示される。５００はロータリエンコーダ領域であり、１６個のロータリエンコーダ５０１−１〜５０１−１６が設けられている。５１１〜５１５は、指定されたｃｈにおける各種のパラメータ設定用のロータリエンコーダである。５１６〜５１９の各領域にそれぞれ３つずつ備えられているロータリエンコーダは、指定されたｃｈにおけるイコライザの調整用のものである。これら全てのロータリエンコーダは、押し下げるとプッシュ操作イベントを発生する機能を持つ。
【００２８】
図５（ｂ）は、図４の割当ｃｈストリップ部４２４の詳細な構成を示す。割当ｃｈストリップ部は、５３０−１〜５３０−８の８本のｃｈストリップを備える。１本のｃｈストリップ、例えば５３０−１は、ＳＥＬスイッチ５３１、ＣＵＥスイッチ５３２、レベルメータ用のＬＥＤ５３３、ＯＮスイッチ５３４、及び電動フェーダ５３５を備える。各スイッチ５３１，５３２，５３４は、当該スイッチがオンされたときに点灯しオフされたときに消灯するＬＥＤを備えている。ＳＥＬスイッチ５３１は、当該ｃｈストリップに割当てられたｃｈを選択し、当該ｃｈに関する詳細なパラメータ設定を後述する選択ｃｈ画面（図７）で行うことを選択するスイッチである。ＣＵＥスイッチ５３２は、図２で説明したＣＵＥバス２０８への、当該ｃｈからの信号出力のオン／オフを切り替えるスイッチである。ＬＥＤ５３３は、当該ｃｈに入力する信号のレベルの値をリアルタイム表示するメータである。ＯＮスイッチ５３４は、各ｃｈの信号のオン／オフを切り替えるスイッチであり、図３のＯＮ３０６に相当する。電動フェーダ５３５は、当該ｃｈのレベルを設定するための操作子であり、通常は図３のフェーダ３０７に相当し、センドモードでは図３の３０８における送出レベル制御用のフェーダとなる。ＣＰＵ１０１からの指示により、電動フェーダ５３５のつまみの位置を所定の位置に設定することができる。５３６は、割当ｃｈストリップ部４２４のみに設けられているロータリエンコーダである。各ｃｈストリップ５３０−１〜５３０−８のロータリエンコーダ５３６は、表示器４２３に表示されたストリップ画面（図６で後述）において選択状態にある表示要素に対応するパラメータの値、あるいは後述するパラメータウィンドウにおける所定のパラメータの値を、変更する機能を持つ。また、これらのロータリエンコーダ５３６は、押し下げるとプッシュ操作イベントを発生する機能を持つ。なお、他のｃｈストリップ部４１１〜４１５，４３１〜４３３も同様の構成である（ただし、ロータリエンコーダ５３６は無い）。
【００２９】
図５（ｃ）は、図４のＧ（グループ）選択操作部４２６の詳細な構成を示す。６個の選択スイッチ５５１〜５５６は、それぞれ図４の入力ｃｈストリップ部４１１〜４１４，４３１，４３２に対応し、それらの各入力ｃｈストリップ部を割当ｃｈストリップ部４２４に割当てる（呼び出す）ための操作子である。例えば、選択スイッチ５５１をオンすると、入力ｃｈストリップ部４１１が割当ｃｈストリップ部４２４に割当てられ、これにより図５（ｂ）に示した８本の割当ｃｈストリップ５３０−１〜８が、それぞれ第１〜８ｃｈの入力ｃｈストリップとして機能することになる。同様にして、選択スイッチ５５２をオンすると入力ｃｈのうち第９〜１６ｃｈが、選択スイッチ５５３をオンすると入力ｃｈのうち第１７〜２４ｃｈが、…というように各入力ｃｈストリップ部４１１〜４１６が中央部のマスタセクション４２０にある割当ｃｈストリップ部４２４に割当てられる。同様に、Ｇ選択操作部４２６のＳＴＩＮスイッチ５５７をオンすると図４のＳＴ入力ｃｈストリップ部４１５が、マスタースイッチ５５８がオンされると図４のＳＴ出力ｃｈストリップ部４３３が、それぞれ割当ｃｈストリップ部４２４に割当てられる。なお、ＳＴ入力ｃｈストリップ部４１５は４本のｃｈストリップ、ＳＴ出力ｃｈストリップ部４３３は２本のｃｈストリップから構成されているので、割当ｃｈストリップ部４２４に割当てたときは、それぞれ左寄りの４本または２本のｃｈストリップのみが有効となる。５６１〜５６４は、操作パネル上には存在しない内部的なｃｈの操作を行うための割当スイッチである。５６１は図２のマトリックス出力ｃｈ２１２（８ｃｈ分）の各ｃｈを操作するための操作子として割当ｃｈストリップ部４２４を用いることを指定する選択スイッチである。５６２は図２のＭＩＸ出力ｃｈ２１０のうち第１〜８ｃｈ、５６３はＭＩＸ出力ｃｈ２１０のうち第９〜１６ｃｈについて、それぞれ操作するための操作子として割当ｃｈストリップ部４２４を用いることを指定する選択スイッチである。５６４は不図示のＤＣＡ機能を用いたときの各ｃｈを操作するための操作子として割当ｃｈストリップ部４２４を用いることを指定する選択スイッチである。
【００３０】
これらのＧ選択操作部４２６の各選択スイッチ５５１〜５５８，５６１〜５６４は、それぞれ択一的にオンされるものであり、オンされたときに点灯してどの選択スイッチが選択状態にあるかを示すためのＬＥＤを備えている。消灯されている選択スイッチが新たにオンされると、そのスイッチが点灯し、それまで点灯されていたスイッチは消灯される。なお、各選択スイッチ５５１〜５５８，５６１〜５６４によって割当ｃｈストリップ部４２４に呼び出すことができる複数ｃｈのセットをそれぞれグループと呼ぶ。
【００３１】
図６は、図４の表示器４２３に表示される８ｃｈストリップ画面の表示例を示す。８ｃｈストリップ画面は、図５（ｃ）で説明したＧ選択操作部４２６の各選択スイッチ５５１〜５５８，５６１〜５６４により選択されたグループの各ｃｈ（８ｃｈ分）の設定状況を表示する画面であり、これらの選択スイッチの何れかがオンされたとき、対応する８ｃｈストリップ画面が表示される。図６は、選択スイッチ５５１がオンされ、入力ｃｈストリップ部４１１が割当ｃｈストリップ部４２４に割当てられたときの表示器４２３の表示例を示している。６００−１〜６００−８は、選択されたグループの各ｃｈ（ここでは第１〜８入力ｃｈ）のパラメータ設定状況を表示する領域である。各表示領域６００−１〜６００−８は、それぞれ表示器４２３の下側に設けられている割当ｃｈストリップ部４２４の各ｃｈストリップ５３０−１〜５３０−８に上下方向で対応するように表示される。
【００３２】
１ｃｈ分の表示領域、例えば６００−１において、６０１は当該入力ｃｈのｃｈ番号と当該ｃｈに付けられた名称と当該ｃｈへ入力する入力系統の表示、６０２は入力パッチで当該入力ｃｈへ接続されたヘッドアンプ（図２のＡ入力の内部にある）のアナログゲインの設定値を示すノブ及びその値の表示、６０３−１〜６０３−４は当該入力ｃｈにおける各種の信号処理の設定状況を示す領域である。ノブ６０２は、ロータリエンコーダのつまみを模した表示であり、そのレベル設定値に応じた量だけつまみが回転されているように表示される。領域６０３−１〜６０３−４の信号処理の設定状況とは、図３で説明した当該ｃｈの、ＨＰＦ３０２、ＰＥＱ３０３、並びに、第１及び第２ＤＹＮＡＭＩＣＳ３０４，３０５のパラメータ設定状況を順に示すものである。なお、図３のＡＴＴ３０１は図６の画面では表示されない。本ストリップ画面で表示するほどの重要なパラメータではないと評価しているからである。ただし、後述するパラメータウィンドウではＡＴＴ３０１の設定を行うことができる。領域６０３−１の右側のＩＮＳ及びＤ．ＯＵＴと書かれた矩形はＩＮＳボタン及びＤ．ＯＵＴボタンを示す。これらのボタンは、タッチ（指などで触れる）することによりオン／オフすることができる。ＩＮＳボタンは、図２で非表示の内部エフェクタの当該入力ｃｈへの挿入の有効／無効を設定するためのボタンであり、Ｄ．ＯＵＴボタンは、当該入力ｃｈから図２の出力パッチ２１３への信号の直接出力の有効／無効を設定するためのボタンである。
【００３３】
６０４−１〜６０４−１６は、当該入力ｃｈから１６本の各ＭＩＸバス（図２の２０６）へ出力する信号の送出レベルの設定値を示すノブの表示である（ノブ６０４−ｎがＭＩＸｎ（第ｎ番目のＭＩＸバス）に対応している）。６０５は、当該入力ｃｈからステレオバス（図２の２０７）等へ信号をステレオで出力する場合の左右定位（パン／Panning）の設定値を示すノブの表示である。この送出レベルやパンに関する信号処理は、図３の３０８で行われる。ノブ６０５の右側のＳＴ及びＭＯＮＯと書かれた矩形はＳＴボタン及びＭＯＮＯボタンを示す。これらのボタンをタッチしてオン／オフすることにより、当該入力ｃｈからステレオバス２０７のＬとＲのバスへ出力する信号をオン／オフしたり（ＳＴボタン）、Ｃバスへ出力する信号をオン／オフしたり（ＭＯＮＯボタン）することができる。
【００３４】
なお、説明の便宜のため、表示領域６００−２〜６００−８内の表示要素についても、表示領域６００−１内の表示要素に付した番号を用いるものとする。例えば、表示領域６００−２内のノブ６０４−１と言うときは、表示領域６００−２と表示領域６００−１とを重ね合わせたとき、表示領域６００−１のノブ６０４−１に重なる表示領域６００−２のノブを指すものとする。図５で説明したｃｈストリップについても同様とする。
【００３５】
ノブ６０２，６０４−１〜６０４−１６，６０５のうちの何れかをタッチすることにより、当該ノブが選択状態となる。選択状態のノブにはカーソル６０６がセットされる。カーソル６０６は、ノブの表示に重なるリング状の形状を持つ。特に、各ｃｈの表示領域６００−１〜６００−８内のどのｃｈのどのノブをタッチしても、全ｃｈの表示領域６００−１〜６００−８内で同じ位置のノブが並列的に同時に選択される（なお、既に選択状態にあるノブを再びタッチしたときの動作については後述する）。例えば、表示領域６００−２内のノブ６０４−３をタッチすると、表示領域６００−１〜６００−８の８つのノブ６０４−３が全て選択状態となる。このとき並列に表示される８つのカーソルを８ｃｈリングと呼ぶ。並列的に選択状態になったノブに対応するパラメータの値を、各割当ｃｈストリップ５３０−１〜５３０−８のロータリエンコーダ５３６−１〜５３６−８で、それぞれ独立に変更することができる。上述したパラメータ操作部４２２では、選択された１つのｃｈに着目して、そのｃｈの複数のパラメータの並列的な操作が行えるのに対して、ロータリエンコーダ５３６では、タッチにより選択された１つのパラメータ（例えば、ＭＩＸバス２０６の何れか１つへの送出レベル）に着目して、割り当てｃｈストリップ５３０−１〜５３０−８に割り当てられた８ｃｈ分の該パラメータの並列的な操作が行える。これにより、例えば送出レベルであれば、着目した入力ｃｈから複数のＭＩＸバスへの送出レベルの並列的な操作と、８つの入力ｃｈから１つの着目したＭＩＸバスへの送出レベルの並列的な操作といったような、ｃｈ側からとパラメータ側からの２つの見方でのバランス調整が容易に行える。
【００３６】
なお、表示領域６００−１〜６００−８内で何れかのノブが選択状態にあるとき、何れかのボタンをタッチすると、そのボタン操作に対応する機能が実行されるが、ノブの選択状態に変更はないものとする。なお、ノブのタッチにより、そのノブと同じ位置の８つのノブを選択状態とするだけでなく、それと同時に、そのタッチしたノブが属する割当ｃｈストリップに割り当てられているｃｈが、パラメータ操作部４２２の制御対象のｃｈとして選択されるようにしてもよい。また、その制御対象のｃｈを連動して選択する機能を、ユーザの希望に応じて有効／無効にできるようにしてもよい。
【００３７】
６２０は、ミキサの各種の設定を行う際に利用するボタンやステレオ出力ｃｈのＬ／Ｒ及びＣの出力信号レベルを示すメータなどの表示領域である。６２１は、図１の電動フェーダ１０５（図５の５３５など）の動作モードを切り換えるボタンである。ボタン６２１がオフ状態のときは「通常モード」であり、各ｃｈストリップの電動フェーダは、対応するｃｈの信号のレベルを制御するフェーダとして、図３のフェーダ３０７の位置における信号のレベル（ゲイン）を制御する。ボタン６２１がオン状態のときは「センドモード」であり、各ｃｈストリップの電動フェーダは、対応するｃｈからの送出レベル制御用のフェーダとして、選択されたバスへの図３の３０８における送出レベル（ゲイン）を制御する。なお、「センドモード」では、領域６２０のメーター（ＭＥＴＥＲ）の表示領域に、１６本のＭＩＸバス及びステレオバスから１本（ないしペア）のバスを選択するためのボタンが表示される。そのボタン操作によって、電動フェーダで送出レベルを制御する対象となるバスを選択することができる。６３０は現在呼び出されているシーンの表示である。この表示６３０の下側にあるシーン操作部４２５（図４）の操作子を用いてシーンナンバを増減したり、シーンのリコールやストアを行うことができる。６４０は現在選択されているｃｈの表示であり、ここでは名称「Vocal」が付けられた入力ｃｈ「ＣＨ１」が選択されている。このｃｈの選択は、ｃｈストリップのＳＥＬスイッチによって行うことができるほか、６４０の左右に配置されたボタンでも行うことができる。
【００３８】
なお、図６では、選択スイッチ５５１をオンしたときに表示される第１〜８入力ｃｈの８ｃｈストリップ画面を例として説明したが、他の選択スイッチ５５２〜５５８，５６１〜５６４をオンしたときに表示されるストリップ画面も同様の構成である。ただし、選択スイッチ５５７がオンされたときは左寄り４ｃｈ分の表示（６００−１〜６００−４）、選択スイッチ５５８がオンされたときは左寄りに２ｃｈ分の表示（６００−１〜６００−２）が、それぞれ為されることになる。また、選択スイッチ５５８，５６１〜５６４のオンでは、出力側ｃｈの表示となるが、それらのｃｈでは信号処理の内容が図３で説明した入力ｃｈとは若干異なる部分があるので、ストリップ画面での１ｃｈ分の表示領域の部分領域６０１〜６０６などの表示は図６とは異なるものとなる。例えば、それらのｃｈの信号の入力元はバスなので６０２のヘッドアンプに相当する表示は存在せず、また、６０３−１のＩＮＳボタン、６０５のノブ、ＳＴボタン、ＭＯＮＯボタンなども存在しない。また、送出レベルを制御するノブは、ステレオ出力ｃｈとＭＩＸ出力ｃｈについてのみ、信号の出力先である８本のマトリクスバス２１１に対応する８つのノブ６０４−１〜６０４−８が表示される。
【００３９】
図７は、図４の表示器４２３に表示される選択ｃｈ画面の表示例を示す。図４の入力ｃｈストリップ部４１１〜４１６、ステレオ入力ｃｈストリップ部４１７、ステレオ出力ｃｈストリップ部４１８、及び割当ｃｈストリップ部４２４の何れかのｃｈストリップのＳＥＬスイッチ（図５の５３１など）がオンされると、そのｃｈストリップに対応するｃｈがパラメータ操作部４２２でのパラメータ操作の対象ｃｈとして選択されるが、その際に、その選択ｃｈの詳細なパラメータの設定状態を表示する画面としてこの選択ｃｈ画面が表示される。図７の選択ｃｈ画面は、入力ｃｈのうち第１ｃｈについての選択ｃｈ画面を示す。なお、ここではＳＥＬスイッチの操作で選択ｃｈ画面に切替えるものとして説明したが、選択ｃｈ画面に切替える機能の有効／無効をユーザが設定できるオプションがあるものとする（操作対象のｃｈの選択は行われる）。
【００４０】
７０１は当該入力ｃｈから１６本の各ＭＩＸバス２０６への送出レベルを示す１６個のノブ７０１−１〜７０１−１６の表示領域である。各ノブの右側にはＰＲＥボタン及びＯＮボタンが設けられている。７０２は当該入力ｃｈの前段に設けられるヘッドアンプのゲインのレベルを示すノブの表示領域である。７０３〜７０６は、それぞれ、図３で説明した当該入力ｃｈの、ＨＰＦ３０２、ＰＥＱ３０３、並びに、第１及び第２ＤＹＮＡＭＩＣＳ３０４，３０５のパラメータ設定状況を表示するための部分領域である。各部分領域７０３〜７０６には、それぞれ必要な数のノブが表示される。７０７は、当該入力ｃｈからステレオバス（図２の２０７）への出力信号のパン（Panning）の設定値を示すノブの表示領域である。その他、必要に応じて当該ｃｈについてのパラメータ設定状況を表示する部分領域が表示される。右側の６２０，６２１，６３０，６４０の表示は、図６のストリップ画面と同様である。
【００４１】
部分領域７０１〜７０７に表示されているノブ（ただし、部分領域７０５，７０６は左側のＴＨＲＥＳＨＯＬＤ調整用のノブのみ）の配置は、図５（ａ）で説明した表示器４２３の左側のパラメータ操作部４２２のロータリエンコーダの配置に対応しており、パラメータ操作部４２２のロータリエンコーダを操作することにより、対応するノブのパラメータ値を変更することができる。配置が対応しているため、操作は分かりやすい。
【００４２】
選択ｃｈ画面の各部分領域内には必要に応じてボタンが設けられている。例えば、領域７０７のＳＴ及びＭＯＮＯと書かれた矩形はＳＴボタン及びＭＯＮＯボタンを示す。ＳＴボタンの部分をタッチすると、当該入力ｃｈからステレオバス２０７のＬとＲのバスへの信号の出力をオン／オフすることができ、ＭＯＮＯボタンをタッチすると、Ｃバスへの信号の出力をオン／オフすることができる。
【００４３】
なお、図７では、第１入力ｃｈの選択ｃｈ画面を例として説明したが、他のｃｈの選択ｃｈ画面も同様の構成である。ただし、ｃｈの構成に応じて、部分領域７０１〜７０７などの表示が図７とは異なる場合がある。
【００４４】
ここで、割当ｃｈストリップ部４２４とパラメータ操作部４２２のロータリエンコーダのプッシュ操作イベントによる画面の切り換えについて説明する。上記のロータリエンコーダの何れかを押し下げると、現在ストリップ画面が表示されているなら最後に表示された選択ｃｈ画面（退避してあるもの）に、現在選択ｃｈ画面が表示されているなら最後に表示されたグループ画面（退避してあるもの）に、それぞれ切り換わる。これにより、ロータリエンコーダに手を掛けた状態で簡単に画面切り換えができる。例えば、通常はグループ画面で操作するが、あるｃｈの所定のパラメータのみ確認・修正したい場合などは、ロータリエンコーダのプッシュ操作イベントによる画面の切り換え機能を利用するのが便利である。画面が切り換わっても割当ｃｈストリップ部４２４とパラメータ操作部４２２の操作子の機能は変わるわけではない。従って、パラメータ操作部４２２のロータリエンコーダをプッシュして選択ｃｈ画面でそのロータリエンコーダで変更できるパラメータを確認した後、再びそのロータリエンコーダをプッシュしてグループ画面としても、そのロータリエンコーダで対応するパラメータの微調整などを行うことができる。
【００４５】
図６のストリップ画面及び図７の選択ｃｈ画面の何れも、画面上のボタンやノブをタッチすることでボタンのオン／オフ操作やノブの選択を行うことができる。しかし、ノブが示すパラメータ値の変更は、画面に触れる操作では行うことができず、パネル上に設けられているロータリエンコーダを用いて行う。従って、画面を誤って触れることによりノブのパラメータ値が変化してしまうことはない。なお、ストリップ画面や選択ｃｈ画面及び各操作部の操作子の操作では、カレントメモリに記憶されている対応するパラメータの値が変更され、その結果として、変更されたパラメータ値が各ボタンのオン／オフ状態や各ノブの設定値に反映される。なお、図６のストリップ画面及び図７の選択ｃｈ画面は、操作の基本になる画面であるので、これらを合わせてベース画面と呼ぶ。
【００４６】
パラメータ操作部４２２と選択ｃｈ画面との対応、及び、割当ｃｈストリップ部４２４とグループ画面との対応を分かりやすくするため、パラメータ操作部４２２の背景色と選択ｃｈ画面の背景色とを第１の同系色とし、割当ｃｈストリップ部４２４の背景色とグループ画面の背景色とを前記第１の同系色とは異なる第２の同系色とするとよい。これにより、現在表示されているのがグループ画面か選択ｃｈ画面かが一目で分かり、パラメータ操作部と割当ｃｈストリップ部のどちらを操作すべき状態なのかを容易に把握できる。さらに、ロータリエンコーダのつまみの色で画面上のノブ表示と対応を取ってもよい。
【００４７】
次に、図６のストリップ画面の各部分領域内に表示されている下向き三角印及び２重の下向き三角印について説明する。これらの下向き三角印または２重の下向き三角印は、その部分領域（ただし、明示的にボタンになっている部分は除く）が、当該部分領域で表示しているパラメータを選択するボタンの役割を果たす領域になっていることを示す表示である。下向き三角印の領域はそのパラメータが「第１種パラメータ」であることを示し、２重の下向き三角印の領域はそのパラメータが「第２種パラメータ」であることを示している。第１種パラメータが選択されると（すなわち、第１種のパラメータが表示されている部分領域（下向き三角印の部分領域）中のボタン以外の領域をタッチすると）、当該パラメータに関連する詳細な設定を行う８ｃｈパラメータウィンドウ（以下、８ｃｈウィンドウと呼ぶ）が表示される。選択状態にない第２種パラメータが選択されると（すなわち、第２種のパラメータが表示されている部分領域（２重の下向き三角印の部分領域）中のボタン以外の領域をタッチすると）、今回選択操作された第２種のパラメータが選択状態となる。選択状態にある第２種パラメータが再び選択されると、当該パラメータに関連する詳細な設定を行う８ｃｈウィンドウが表示される。例えば、図６のノブ６０４−１〜６０４−１６が表示されている領域は２重の下向き三角印の領域であるので、ここに表示されている各ノブのパラメータ（各ＭＩＸバスへのセンドレベル）は第２種パラメータである。従って、選択状態にないノブをタッチすると（そのノブの周辺の背景部分をタッチした場合も、一番近いそのノブがタッチされたとみなすものとする）、８ｃｈリングが移動してタッチされた位置の８つのノブが選択状態になる。選択状態にあるノブを再びタッチすると、８ｃｈウィンドウが表示される。なお、下向き三角印の第１種パラメータは比較的使用頻度の低いものを想定しており、２重の下向き三角印の第２種パラメータは比較的使用頻度の高いものを想定している。第１種パラメータはパラメータウィンドウで設定変更しなければならないので、パラメータの切替は面倒であるが、使用頻度が低いので問題はない。第２種パラメータは、パラメータウィンドウを開くことなくベース画面で選択状態を切替えて設定変更できる。
【００４８】
図８は、図６の８ｃｈストリップ画面において、４列目の表示６００−４の第１ＤＹＮＡＭＩＣＳ（第１種パラメータ）６０３−３（図８の８０２）が選択されて、８ｃｈウィンドウ８０１が表示された様子を示す。８ｃｈウィンドウには複数の種類がある。選択された第１種または第２種のパラメータに応じて、表示される８ｃｈウィンドウが決まる。図１０（ａ）は、ＤＹＮＡＭＩＣＳ１の８ｃｈウィンドウである。図１０（ｂ）は、図６のいずれかのｃｈの部分領域６０３−１または６０３−２をタッチしたときに表示される８ｃｈウィンドウを示す。図１１は、各ｃｈから各ＭＩＸバスへの送出レベルを示すノブ６０４−１〜６０４−１６の何れかを選択することにより表示される８ｃｈウィンドウを示す。
【００４９】
図７の選択ｃｈ画面の各部分領域に表示されている下向き三角印も同様である。ただし、図６の８ｃｈストリップ画面から表示されるパラメータウィンドウが８ｃｈウィンドウであるのに対し、選択ｃｈ画面から表示されるパラメータウィンドウは１ｃｈウィンドウ（１ｃｈパラメータウィンドウ）とする。１ｃｈウィンドウは、選択ｃｈに関する当該パラメータの、より詳細な設定を行うウィンドウであり、選択されたパラメータに応じて複数の種類がある。例えば、図９（ａ）は、図７のＤＹＮＡＭＩＣＳ１の部分領域７０５をタッチしたときに表示される１ｃｈウィンドウを示す。（部分領域７０５は第１種パラメータであることを示す下向き三角印が表示されているので、この部分領域７０５の中のどこでも１回タッチすれば図９（ａ）の１ｃｈウィンドウが表示される。）図９（ｂ）は、図７の選択ｃｈ画面で部分領域７０３または７０４をタッチしたときに表示される１ｃｈウィンドウを示す。なお、図７の選択ｃｈ画面の各ＭＩＸバス（あるいはＭＡＴＲＩＸバス）への送出レベルを示すノブ７０１−１〜７０１−１６の部分領域７０１において何れかのノブを選択したときには、そのＭＩＸバス（またはＭＡＴＲＩＸバス）への送出レベルを示す８ｃｈウィンドウ（図１１）が表示されるものとする。この送出レベルについては１ｃｈウィンドウを作るほどの詳細なパラメータはないため、８ｃｈウィンドウとしているものである。
【００５０】
図９〜図１３を参照して、各パラメータウィンドウの詳細を説明する。
【００５１】
図９（ａ）は、第１ダイナミックス（図３のＤＹＮＡＭＩＣＳ１）の１ｃｈウィンドウ９００の表示例である。９０１はこの１ｃｈウィンドウがＤＹＮＡＭＩＣＳ１に関連する詳細なパラメータ設定を行うものであることを示す見出し、９０２はこのウィンドウを閉じるボタン、９０５はデフォルトボタン、９０６は１ｃｈボタン、９０７は８ｃｈボタン、９０８はＡＬＬボタンである。９１１はこの１ｃｈウィンドウがどのｃｈについてのウィンドウであるかを示すｃｈ番号とｃｈ名（ユーザが任意に付けられる）の表示であり、９１２はｃｈ名を付けたときに同時に選択したアイコンの表示（不図示）である。９１３はこのｃｈにおけるＤＹＮＡＭＩＣＳ１のオン／オフを設定するボタンである。ボタン９１３がオンされているとき、図３で説明した信号処理の流れの中でＤＹＮＡＭＩＣＳ１は有効に機能する。オフされているとき、ＤＹＮＡＭＩＣＳ１は信号をスルーするだけである。９１４−１〜９１４−８，９１５，９１６などは、ＤＹＮＡＭＩＣＳ１の詳細なパラメータ設定を行うためのボタンやノブなどを示す。特に、ノブ９１４−１〜９１４−８は画面下のエンコーダ５３６−１〜５３６−８で操作することができるパラメータを示している。
【００５２】
なお、ベース画面（図６，７）のみが表示され、それに重ねられてパラメータウィンドウが表示されていない場合には、エンコーダ５３６−１〜５３６−８は８ｃｈストリップ画面（図６）で８ｃｈリングがセットされている選択状態のパラメータを設定する操作子に割り当てられているが、図９〜図１３に示すパラメータウィンドウが表示されている場合には、これらのエンコーダ５３６−１〜５３６−８はそのパラメータウィンドウ中の所定のパラメータを設定する操作子に切り換わるものとする。パラメータウィンドウが閉じると、エンコーダ５３６−１〜５３６−８の割り当ては元に戻る。
【００５３】
デフォルトボタン９０５をタッチしてオンすることにより、このｃｈのＤＹＮＡＭＩＣＳ１のパラメータをデフォルトの値に設定することができる。１ｃｈボタン９０６はグレーアウトしていて操作できない。８ｃｈボタン９０７をタッチすると、当該ｃｈを含むダイナミックス１に関する８ｃｈウィンドウ（後述する図１０（ａ））に移行する。ＡＬＬボタン９０８をタッチすると、ダイナミックス１に関するオールｃｈウィンドウ（後述する図１２（ａ））に移行する。
【００５４】
図９（ｂ）は、ＨＰＦ及びＥＱ（図３のＡＴＴとＨＰＦとＥＱ）関連の１ｃｈウィンドウ９３０の表示例を示す。画面下部の要素９３１〜９３８は、図９（ａ）の要素９０１〜９０８に対応しており、その役割・機能は同様である。８ｃｈボタン９３７で図１０（ｂ）に移行し、ＡＬＬボタン９３８で図１２（ｂ）に移行する。要素９４１〜９４３も図９（ａ）の要素９１１〜９１３と同様である。９４４−１〜９４４−８，９４５，９４６などは、ＡＴＴ、ＨＰＦ、及びＥＱの詳細なパラメータ設定を行うためのボタンやノブなどであり、ノブ９４４−１〜９４４−８は画面下のエンコーダ５３６−１〜５３６−８で操作することができるパラメータとなる。
【００５５】
図１０（ａ）は、ＤＹＮＡＭＩＣＳ１の８ｃｈウィンドウ８０１の表示例である。見出し表示１００１、閉じるボタン１００２、１ｃｈボタン１００６、８ｃｈボタン１００７、及びＡＬＬボタン１００８は、１ｃｈウィンドウと同様のものである。このウィンドウ８０１は８ｃｈウィンドウであるので、８ｃｈボタン１００７はグレーアウト表示で操作できないようになっており、１ｃｈボタン１００６で図９（ａ）に移行し、ＡＬＬボタン１００８で図１２（ａ）に移行する。
【００５６】
１０１０−１〜１０１０−８は、元の８ｃｈストリップ画面に表示されている８ｃｈに順に対応する表示である。１つのｃｈの表示、例えば１０１０−１は、当該ｃｈのアイコンとｃｈ名の表示１０１１、当該パラメータの設定状況を表すグラフ等の表示１０１２，１０１３、代表パラメータを表すノブ１０１４、及びオン／オフボタン１０１５からなる。代表パラメータとは、図３に示した各信号処理要素（機能）の１つを実現するために必要な複数のパラメータのうち、その機能を代表するパラメータである。例えば、ＤＹＮＡＭＩＣＳ１ではＴＨＲＥＳＨＯＬＤが代表パラメータである。８ｃｈウィンドウでは、各ｃｈの代表パラメータを表示し、順に対応するエンコーダ５３６−１〜５３６−８でそれらを操作することができる。オン／オフボタン１０１５は、当該ｃｈにおいて見出し１００１で特定される機能の有効／無効を指定するボタンであり、図９（ａ）のボタン９１３と同じである。
【００５７】
１０２０はカーソルであり、表示されている８ｃｈの各領域１０１０−１〜１０１０−８の何れかにタッチすることで任意のｃｈにセットできる。コピーボタン１００３によりカーソル１０２０がセットされているｃｈのＤＹＮＡＭＩＣＳ１のパラメータをコピーし、カーソル１０２０を別のｃｈにセットしてペーストボタン１００４をタッチすることにより、コピーしたＤＹＮＡＭＩＣＳ１のパラメータをそのｃｈにペーストできる。デフォルトボタン１００５により、カーソル１０２０がセットされているｃｈのＤＹＮＡＭＩＣＳ１のパラメータをデフォルト値に戻すことができる。
【００５８】
図１０（ｂ）は、ＡＴＴ／ＨＰＦ／ＥＱの８ｃｈウィンドウ１０３０の表示例である。画面下部の要素１０３１〜１０３８は、図１０（ａ）の要素１００１〜１００８に対応しており、その役割・機能は同様である。１ｃｈボタン１０３７で図９（ｂ）に移行し、ＡＬＬボタン１０３８で図１２（ｂ）に移行する。元の８ｃｈストリップ画面に表示されている８ｃｈに順に対応する表示１０４０−１〜１０４０−８やカーソル１０５０も図１０（ａ）と同様のものである。各ｃｈごとの要素のうち、１０４１はアイコンとｃｈ名の表示、１０４２〜１０４６は、ＡＴＴ／ＨＰＦ／ＥＱの詳細なパラメータ設定を行うためのボタンやノブなどである。なお、この８ｃｈウィンドウ１０３０は、複数の信号処理要素についてまとめたものなので、ＨＰＦをオン／オフするボタン１０４４と、ＥＱをオン／オフするボタン１０４６とが、独立に設けられている。ＡＴＴ／ＨＰＦ／ＥＱでは、代表パラメータはＥＱ１０４５とする。
【００５９】
なお、このウィンドウ１０３０では、各ｃｈのＡＴＴのレベルに対応するノブ１０４２とＨＰＦの周波数に対応するノブ１０４３の両方が表示されるので、何れかのｃｈのノブ１０４２を選ぶと各ｃｈの同じノブ１０４２が明度を上げて表示され（このときノブ１０４３はグレーアウト）エンコーダ５３６−１〜５３６−８で操作することができるようになり、一方、何れかのｃｈのノブ１０４３を選ぶと各ｃｈの同じノブ１０４３が明度を上げて表示され（このときノブ１０４２はグレーアウト）エンコーダ５３６−１〜５３６−８で操作することができるようになる。
【００６０】
図１１は、ＭＩＸ４ＳＥＮＤ（ＭＩＸバス４への送出レベル）の８ｃｈウィンドウ１１００の表示例である。ＭＩＸバス４への送出レベルであるので、図６の何れかのｃｈのノブ６０４−４を選択状態で再度タッチしたときに開くウィンドウである、ということになる。画面下部の要素１１０１〜１１０８は、図１０（ａ）の要素１００１〜１００８に対応しており、その役割・機能は同様である。ＡＬＬボタン１１０８で図１３に移行する。なお、ＭＩＸバスへの送出レベルについては、１ｃｈウィンドウで詳細表示するほどのパラメータがないので、対応する１ｃｈウィンドウは存在しない。従って、８ｃｈボタン１１０７とともに１ｃｈボタン１１０６もグレーアウトしている。元の８ｃｈストリップ画面に表示されている８ｃｈに対応する表示１１１０−１〜１１１０−８やカーソルも図１０（ａ）と同様のものである。各ｃｈごとの要素１１１１〜１１１４も図１０（ａ）の要素１０１１〜１０１５と同様のものである。オン／オフボタン１１１３で、そのｃｈからＭＩＸバス４への信号送出のオン／オフを切替えることができる。ノブ１１１４が示す送出レベルはエンコーダ５３６−１〜５３６−８で操作することができる。代表パラメータは送出レベルの数値表示である。
【００６１】
図１２（ａ）（ｂ）と図１３は、パラメータウィンドウのうちａｌｌ＿ｃｈウィンドウを示す。これらは、ベース画面から直接開くことはできず、１ｃｈまたは８ｃｈウィンドウのＡＬＬボタンのタッチにより開くものである。
【００６２】
図１２（ａ）は、ＤＹＮＡＭＩＣＳ１に関するａｌｌ＿ｃｈウィンドウ１２００の表示例を示す。第１〜第４８ｃｈまでの各ｃｈのアイコン１２１２、ｃｈ名１２１１（ｃｈ番号を同時に表示しても良い）、ＤＹＮＡＭＩＣＳ１の代表パラメータのグラフ表示１２１３（数値で表示しても良い）が表示されている。任意のｃｈ部分をタッチすることにより、カーソル１２２０がそのｃｈにセットされる。
【００６３】
ウィンドウの下部には、パラメータ名の表示１２０１、閉じるボタン１２０２、コピーボタン１２０３、ペーストボタン１２０４、デフォルトボタン１２０５、１ｃｈボタン１２０６、８ｃｈボタン１２０７、及びＡＬＬボタン１２０８（グレーアウト表示され、オンできないようにしてある）が表示されている。カーソル１２２０とコピーボタン１２０３とペーストボタン１２０４により、任意のｃｈのＤＹＮＡＭＩＣＳ１のパラメータを別のｃｈにコピー＆ペーストできるのは、８ｃｈウィンドウと同様である。デフォルトボタン１２０５により、任意のｃｈのＤＹＮＡＭＩＣＳ１のパラメータをデフォルト状態に戻せることも、８ｃｈウィンドウと同様である。また、１ｃｈボタン１２０６と８ｃｈボタン１２０７により、１ｃｈウィンドウや８ｃｈウィンドウに移行できるのも、他のパラメータウィンドウと同様である。
【００６４】
図１２（ｂ）は、ＡＴＴ／ＨＰＦ／ＥＱに関するａｌｌ＿ｃｈウィンドウ１２３０の表示例を示す。第１〜第４８ｃｈまでの各ｃｈのアイコン１２４２、ｃｈ名１２４１、代表パラメータのグラフ表示１２４３は、図１２（ａ）と同様である。ここでは代表パラメータとして、ＥＱの設定状態をグラフ表示している。画面下部の要素１２３１〜１２３８は、図１２（ａ）の要素１２０１〜１２０８に対応しており、その役割・機能は同様である。
【００６５】
図１３は、ＭＩＸ４ＳＥＮＤ（ＭＩＸバス４への送出レベル）に関するａｌｌ＿ｃｈウィンドウ１３００の表示例を示す。第１〜第４８ｃｈまでの各ｃｈのアイコン１３１２、ｃｈ名１３１１、代表パラメータの表示１３１３は、図１２（ａ）や（ｂ）と同様である。ここでは代表パラメータとして、当該ｃｈからＭＩＸバス４への送出レベルを数値表示している。加えてＰＲＥボタンを表示している。画面下部の要素１３０１〜１３０８は、図１２（ａ）の要素１２０１〜１２０８に対応しており、その役割・機能は同様である。
【００６６】
上述したように、同じパラメータに関しては、１ｃｈウィンドウ、８ｃｈウィンドウ、及びａｌｌ＿ｃｈウィンドウの間で、１ｃｈボタン、８ｃｈボタン、及びＡＬＬボタンを用いて相互に移行できる。さらに、ａｌｌ＿ｃｈウィンドウでカーソルがセットされているｃｈを再度タッチすると、対応する８ｃｈウィンドウに移行する。８ｃｈウィンドウでカーソルがセットされているｃｈを再度タッチすると、対応する１ｃｈウィンドウに移行する。
【００６７】
１ｃｈウィンドウでは、１つのｃｈに関して詳細なパラメータを参照・設定できる。８ｃｈウィンドウでは、８ｃｈ分の代表パラメータを並列的に参照・設定できる。ａｌｌ＿ｃｈウィンドウでは、全ｃｈの代表パラメータを参照できる。また、例えばＤＹＮＡＭＩＣＳ１であれば、そのパラメータを任意のｃｈ間でコピー＆ペーストできる。また、１ｃｈウィンドウや８ｃｈウィンドウでは、各ｃｈの信号処理要素機能のオン／オフが指定できる。なお、ａｌｌ＿ｃｈウィンドウではエンコーダ５３６−１〜５３６−８は効かないようにしているが、例えば指定した１行分の８ｃｈについてエンコーダ５３６−１〜５３６−８により代表パラメータの変更ができるようにしてもよい。
【００６８】
図１４は、８ｃｈストリップ画面（図６）におけるタッチスクリーン処理のフローチャートである。この処理は、８ｃｈストリップ画面上で任意の位置をタッチ操作されたときに起動される。ステップ１４０１で操作された領域が、第１種パラメータ、第２種パラメータ、あるいはその他領域であるか判定する。（なお、操作されたのがボタンの場合は、そのボタンの操作に応じた処理を行って終了するものとするが、図１４では省略した。）第１種パラメータのときは、ステップ１４０２で８ｃｈリングを消去し、ステップ１４０３でタッチ操作された当該パラメータを代表パラメータとする８ｃｈウィンドウを表示する。タッチ操作されたのが第２種パラメータのときは、ステップ１４０４で、当該パラメータが選択状態にあるかを判定する。選択状態にないときは、ステップ１４０５で８ｃｈリングを移動する。これは、前に選択状態にあって８ｃｈリングが表示されていたパラメータから、今回タッチ操作されたパラメータの位置まで８ｃｈリングを移動する処理である。次にステップ１４０６で、タッチ操作された当該パラメータを選択状態にする（前に選択状態にあったパラメータは非選択状態となる）。ステップ１４０４でタッチ操作されたパラメータが選択状態にあった場合は、ステップ１４０７で８ｃｈリングを消去し、ステップ１４０８でタッチ操作された当該パラメータを代表パラメータとする８ｃｈウィンドウを表示する。ステップ１４０１でタッチ操作されたのがその他の領域であるときは、ステップ１４０９で８ｃｈリングを消去し、ステップ１４１０で当該領域に対応するパラメータウィンドウを表示する。
【００６９】
図１５（ａ）は、８ｃｈエンコーダ処理のフローチャートである。この処理は、表示画面の下側にある８つの操作子（エンコーダ）５３６−１〜５３６−８のいずれかが操作されたとき実行される処理である。ステップ１５０１で、現在パラメータウィンドウが表示されているか判定する。パラメータウィンドウが開かれていないときは、ステップ１５０２で、操作された当該エンコーダに対応するｃｈの現在選択状態にあるパラメータの値を、当該エンコーダの操作に応じて変更する。次にステップ１５０３で、当該パラメータが表示中であるか判定し、そうであるなら、ステップ１５０４で表示の更新を行い、終了する。表示中でないときはそのまま終了する。ステップ１５０１でパラメータウィンドウが表示されている場合は、ステップ１５０５で該ウィンドウ中の当該エンコーダに対応するパラメータの値を、当該エンコーダの操作に応じて変更する。次にステップ１５０６で表示を更新して、終了する。
【００７０】
図１５（ｂ）は、選択ｃｈエンコーダ処理のフローチャートである。この処理は、選択ｃｈ画面（図７）が表示されている状態で、画面左側のパラメータ操作部４２２（図５（ａ））内のいずれかの操作子（エンコーダ）が操作されたときに実行される処理である。ステップ１５１１で、現在選択されているｃｈの当該エンコーダに対応するパラメータの値を、当該エンコーダの操作に応じて変更する。次にステップ１５１２で、当該パラメータが表示中であれば、ステップ１５１３で表示を更新して終了する。表示中でなければ、そのまま終了する。
【００７１】
図１６は、選択ｃｈ画面におけるタッチスクリーン処理のフローチャートである。この処理は、選択ｃｈ画面（図７）において画面内の任意の位置がタッチされたとき実行される処理である。ステップ１６０１で、タッチ操作された領域を判別する。オン／オフボタンであるときは、ステップ１６０２で選択ｃｈの当該パラメータのオン／オフを反転させ、ステップ１６０３で表示を更新して、終了する。タッチ操作されたのがＡＵＸパラメータ（部分領域７０１のノブ）であるときは、ステップ１６０４で当該パラメータを代表パラメータとする８ｃｈウィンドウ（図１１）を表示して、終了する。タッチ操作された領域がＡＵＸ以外のパラメータ領域であるときは、ステップ１６０５で当該パラメータを代表パラメータとする１ｃｈウィンドウを表示し、終了する。タッチ操作されたのがその他の領域であるときは、ステップ１６０６で当該領域に対応するパラメータウィンドウを表示し、終了する。
【００７２】
図１７は、８ｃｈウィンドウ（図１０，１１）におけるタッチスクリーン処理のフローチャートである。この処理は、８ｃｈウィンドウ内でタッチ操作されたとき実行される。なおここでは、カーソルを移動させる処理や、コピーボタン、ペーストボタン、デフォルトボタンによる処理については省略した。まずステップ１７０１で、操作された領域を判別する。オン／オフボタンであるときは、ステップ１７０２で操作されたボタンに対応するパラメータのオン／オフを反転させ、ステップ１７０３で表示を更新して、終了する。タッチ操作されたのが１ｃｈボタンであるときは、ステップ１７０４で当該パラメータを代表パラメータとする１ｃｈウィンドウを表示して（本８ｃｈウィンドウは消す）、終了する。タッチ操作されたのがＡＬＬボタンであるときは、ステップ１７０５で当該パラメータを代表パラメータとするａｌｌ＿ｃｈウィンドウを表示し、終了する。タッチ操作されたのが閉ボタンであるときは、ステップ１７０６で当該ウィンドウを閉じ、ステップ１７０７でベース画面が８ｃｈストリップ画面であるか判別する。そうであるときは、ステップ１７０８で８ｃｈリングを復活させ、終了する。ベース画面が選択ｃｈ画面のときは、そのまま終了する。
【００７３】
１ｃｈウィンドウまたはａｌｌ＿ｃｈウィンドウにおけるタッチスクリーン処理も同様である。
【００７４】
なお、８ｃｈストリップ画面では、第２種パラメータを１タッチすると該パラメータが選択状態となり、２タッチでパラメータウィンドウを開くようになっていたが、必ずしもそうしなくてもよい。例えば、シフトキーを押さずにタッチすると、それが第１種パラメータか第２種パラメータかに関わらずパラメータウィンドウが開き、シフトキーを押しながらタッチすると、それが第２種パラメータの場合のみ、そのパラメータが選択状態になるようにしてもよい。
【００７５】
上記実施形態では８ｃｈを１つのまとまりとして取り扱ったが、８ｃｈに限るものではない。パラメータウィンドウではＡＴＴ／ＨＰＦ／ＥＱをまとめたが分けても良い。
【００７６】
なお、代表パラメータ選択操作が行われたとき、必ずしも開いている画面（選択ｃｈ画面、ｋｃｈ（８ｃｈ）ストリップ画面）に応じたウィンドウを開くようになっていなくてもよい。例えば、各選択パラメータ毎に１ｃｈウィンドウとｋｃｈ（８ｃｈ）ウィンドウの何れを開くかを予め決めておくようにしてもよいし、１ｃｈウィンドウ、ｋｃｈ（８ｃｈ）ウィンドウ、全ｃｈウィンドウの３種類のウィンドウに、他のウィンドウに切り替えるための操作子を設けておき、該操作子によりそれらのウィンドウ相互間での切り替えを自由に行えるようにしてもよい。
【００７７】
上記実施形態では、第１種のパラメータであることを示す下向き三角印および第２種のパラメータであることを示す２重の下向き三角印を、図６のストリップ画面の各部分領域内に表示するものとして説明したが、これらの表示は三角印による表示に限らず適宜他の形態の表示を採用してもよく、また、三角印等による表示を省略して第１種のパラメータと第２種のパラメータとを区別することなく表示してもよい。
【図面の簡単な説明】
【００７８】
【図１】実施形態のディジタルミキサのハードウエア構成を示すブロック図
【図２】ミキサの機能構成を示すブロック図
【図３】１つのｃｈの信号処理の概略構成を示す図
【図４】ミキサの操作パネル上の操作子の配列を示す図
【図５】パラメータ操作部などの詳細な構成図
【図６】８ｃｈストリップ画面の表示例を示す図
【図７】選択ｃｈ画面の表示例を示す図
【図８】８ｃｈウィンドウの表示例を示す図
【図９】１ｃｈウィンドウの例を示す図
【図１０】８ｃｈウィンドウの例（その１）を示す図
【図１１】８ｃｈウィンドウの例（その２）を示す図
【図１２】ａｌｌ＿ｃｈウィンドウの例（その１）を示す図
【図１３】ａｌｌ＿ｃｈウィンドウの例（その２）を示す図
【図１４】８ｃｈストリップ画面におけるタッチスクリーン処理のフローチャート図
【図１５】エンコーダ処理のフローチャート図
【図１６】選択ｃｈ画面におけるタッチスクリーン処理のフローチャート図
【図１７】８ｃｈウィンドウにおけるタッチスクリーン処理のフローチャート図
【符号の説明】
【００７９】
１０１…中央処理装置（ＣＰＵ）、１０２…フラッシュメモリ、１０３…ランダムアクセスメモリ（ＲＡＭ）、１０４…表示器、１０５…電動フェーダ、１０６…操作子、１０７…波形入出力インターフェース（Ｉ／Ｏ）、１０８…信号処理部（ＤＳＰ）、１０９…操作者用モニタ、１１０…その他Ｉ／Ｏ、１１１…バスライン。
【図１】
2006311514.tif 000003
【図２】
2006311514.tif 000004
【図３】
2006311514.tif 000005
【図４】
2006311514.tif 000006
【図５】
2006311514.tif 000007
【図６】
2006311514.tif 000008
【図７】
2006311514.tif 000009
【図８】
2006311514.tif 000010
【図９】
2006311514.tif 000011
【図１０】
2006311514.tif 000012
【図１１】
2006311514.tif 000013
【図１２】
2006311514.tif 000014
【図１３】
2006311514.tif 000015
【図１４】
2006311514.tif 000016
【図１５】
2006311514.tif 000017
【図１６】
2006311514.tif 000018
【図１７】
2006311514.tif 000019